(57)【要約】【課題】記録メディア（記憶手段）内に記憶されている画像データの全体傾向を視覚的に容易に把握できるようにする。【解決手段】画像データを記憶する記録媒体１３を具備し、制御・演算部１５において、前記画像データに関する画像情報を読み込み、記録媒体１３に記憶されている画像データについて、前記画像情報に基づく統計処理を行って、当該統計処理の結果を表示部１８に表示するようにする。【選択図】図１
2008187233.tif 000002
【特許請求の範囲】
【請求項１】
画像データを記憶する記憶手段と、
前記画像データに関する画像情報を読み込む読み込み手段と、
前記記憶手段に記憶されている画像データについて、前記画像情報に基づく統計処理を行う統計処理手段と、
前記統計処理手段による統計処理の結果を表示手段に表示する制御を行う表示制御手段とを有することを特徴とする画像処理装置。
【請求項２】
前記統計処理手段で前記統計処理を行う対象となる前記画像情報を複数設定可能であることを特徴とする請求項１に記載の画像処理装置。
【請求項３】
前記表示制御手段が前記統計処理の結果を前記表示手段に表示するタイミングを任意に設定可能であること特徴とする請求項１又は２に記載の画像処理装置。
【請求項４】
前記統計処理の結果に基づいて選択された前記画像データに対して、予め定められた処理を実行することを特徴とする請求項１に記載の画像処理装置。
【請求項５】
撮像を行って前記画像データを生成する撮像手段を更に有し、デジタルカメラとして機能することを特徴とする請求項１乃至４のいずれか１項に記載の画像処理装置。
【請求項６】
画像データを記憶する記憶手段を具備する画像処理装置の制御方法であって、
前記画像データに関する画像情報を読み込む読み込みステップと、
前記記憶手段に記憶されている画像データについて、前記画像情報に基づく統計処理を行う統計処理ステップと、
前記統計処理ステップによる統計処理の結果を表示手段に表示する制御を行う表示制御ステップとを有することを特徴とする画像処理装置の制御方法。
【請求項７】
撮像を行って前記画像データを生成する撮像ステップを更に有し、前記画像処理装置をデジタルカメラとして機能させることを特徴とする請求項６に記載の画像処理装置の制御方法。
【請求項８】
画像データを記憶する記憶手段を具備する画像処理装置の制御方法をコンピュータに実行させるためのプログラムであって、
前記画像データに関する画像情報を読み込む読み込みステップと、
前記記憶手段に記憶されている画像データについて、前記画像情報に基づく統計処理を行う統計処理ステップと、
前記統計処理ステップによる統計処理の結果を表示手段に表示する制御を行う表示制御ステップとをコンピュータに実行させるためのプログラム。
【請求項９】
請求項８に記載のプログラムを記憶したことを特徴とするコンピュータ読み取り可能な記憶媒体。
【発明の詳細な説明】
【技術分野】
【０００１】
本発明は、画像データを記憶する記憶手段を具備する画像処理装置及びその制御方法、当該制御方法をコンピュータに実行させるためのプログラム、並びに、当該プログラムを記憶したコンピュータ読み取り可能な記憶媒体に関するものである。
【背景技術】
【０００２】
近年、デジタルカメラの性能の向上と共に、記録メディアも大容量化し、１枚のメディアに多数の撮影画像が記録できるようになっている。その結果、デジタルカメラにおける撮影では、フィルムカメラよりも一度に多くの撮影が行われる傾向にある。
【０００３】
そこで、大量の画像を管理する必要から、いわゆる電子アルバムという装置も出てきている。しかしながら、この電子アルバム装置では、操作者がグループ分けの定義を設定する必要があり、例えば、旅行時における撮影のように膨大な画像データを扱う場合、撮影時間などの設定条件を細かく設定する必要があった。
【０００４】
そこで、各画像データに付属されるファイル名、日付等など基本属性から自動的にグループ分類し、表示画面上にサムネイルとそのグループの枚数、撮影日時を表示する提案がされている（例えば、下記の特許文献１参照）。
【０００５】
【特許文献１】特開２００３−１９９０２８号公報
【発明の開示】
【発明が解決しようとする課題】
【０００６】
しかしながら、特許文献１の技術のように、従来からある撮影画像のサムネイル表示や撮影情報の表示だけでは、どのような画像が記録メディア内に記録されているかという、記録メディア内の全体傾向が把握し難いという問題が生じる。
【０００７】
本発明は上述の問題点に鑑みてなされたものであり、記録メディア（記憶手段）内に記憶されている画像データの全体傾向を視覚的に容易に把握できるようにすることを目的とする。
【課題を解決するための手段】
【０００８】
本発明の画像処理装置は、画像データを記憶する記憶手段と、前記画像データに関する画像情報を読み込む読み込み手段と、前記記憶手段に記憶されている画像データについて、前記画像情報に基づく統計処理を行う統計処理手段と、前記統計処理手段による統計処理の結果を表示手段に表示する制御を行う表示制御手段とを有する。
【０００９】
本発明の画像処理装置の制御方法は、画像データを記憶する記憶手段を具備する画像処理装置の制御方法であって、前記画像データに関する画像情報を読み込む読み込みステップと、前記記憶手段に記憶されている画像データについて、前記画像情報に基づく統計処理を行う統計処理ステップと、前記統計処理ステップによる統計処理の結果を表示手段に表示する制御を行う表示制御ステップとを有する。
【００１０】
本発明のプログラムは、画像データを記憶する記憶手段を具備する画像処理装置の制御方法をコンピュータに実行させるためのプログラムであって、前記画像データに関する画像情報を読み込む読み込みステップと、前記記憶手段に記憶されている画像データについて、前記画像情報に基づく統計処理を行う統計処理ステップと、前記統計処理ステップによる統計処理の結果を表示手段に表示する制御を行う表示制御ステップとをコンピュータに実行させるためのものである。
【００１１】
本発明のコンピュータ読み取り可能な記憶媒体は、前記プログラムを記憶する。
【発明の効果】
【００１２】
本発明によれば、記録メディア（記憶手段）内に記憶されている画像データの全体傾向を視覚的に容易に把握することが可能となる。
【発明を実施するための最良の形態】
【００１３】
以下、本発明に係る画像処理装置の実施形態について図面を用いて詳細に説明する。なお、以下に説明する本実施形態においては、本発明に係る画像処理装置として、デジタルカメラを適用した例を挙げて説明する。
【００１４】
図１は、本発明の実施形態に係るデジタルカメラ（画像処理装置）１００の機能構成を示すブロック図である。
【００１５】
図１において１１は、ＣＣＤ、ＣＭＯＳなどの光学センサーを含む撮像部である。撮像部１１では、被写体の撮像を行って後述の記録媒体１３に記憶される画像データを生成する。１２は、撮像部１１でキャプチャ（取得）された画像に対して所望の画像処理を行い、例えばＪＰＥＧ画像やＲＡＷ画像に変換するための画像処理部である。
【００１６】
１３は、画像処理部１２で画像処理された画像データを記憶する記録媒体であり、例えば、メモリカード等のリムーバル画像記録メディアである。１４は、記録媒体検知部であり、デジタルカメラ１００に記録媒体１３が挿入されたことを検知する。
【００１７】
１５は、プログラムの作業用メモリとマイクロコンピュータとを備えた制御・演算部である。制御・演算部１５は、デジタルカメラ１００における動作を統括的に制御するものであり、システムバス２４を介して、デジタルカメラ１００の各構成部（１１〜１４、１６〜２２）を制御する。
【００１８】
１６は、プログラムメモリであり、制御・演算部１５が実行するプログラムが記憶されている。このプログラムメモリ１６は、通常は、読み出し専用のＲＯＭで構成される。１７は、ワークメモリであり、制御・演算部１５の作業用メモリや、画像処理部１２が撮像画像の画像処理時に使用する作業用メモリ、或いは、画像データを一時記憶しておく画像バッファメモリとしても使用される。このワークメモリ１７は、通常は、読み書き可能なＲＡＭで構成される。
【００１９】
１８は、撮像部１１で撮像された画像や記録媒体１３に記録された画像、或いは、後述するグラフ等の統計処理の結果を表示する表示部（表示手段）である。また、表示部１８は、操作部１９用のメニュー画面としても使用される。１９は、操作者が画像処理の設定を行なったり、画像のキャプチャ指示を行ったりするための操作部である。
【００２０】
２０は、デジタルカメラ１００の全体に電源を供給する電源部である。２１は、プリンタ通信部であり、ダイレクトプリント機能を持ったプリンタと接続し、制御・演算部１５等の指示で撮影した画像をプリントアウトすることができる。２２は、無線通信部であり、画像処理部１２で画像処理された画像データを無線アンテナ２３を通して他の無線装置にデータ転送する機能を有している。
【００２１】
２４は、システムバスであり、デジタルカメラ１００の各構成部（１１〜２２）を相互に通信可能に接続するためのものである。
【００２２】
図２は、図１に示すデジタルカメラ（画像処理装置）１００の機能構成のうち、特に、本発明に係る主要な動作で使用される機能構成を示すブロック図である。ここで、図１に示す機能構成と同様のものについては、同一の符号を付している。
【００２３】
図３は、本発明の実施形態に係るデジタルカメラ（画像処理装置）１００の背面パネルから見た操作部と表示部を示した模式図である。
【００２４】
１８は、図１及び図２の表示部１８の外観を示したものである。１９１〜１９５は、図１及び図２の操作部１９を構成する操作部材である。
【００２５】
１９１は、モード選択スイッチであり、電源スイッチを兼ねている。モード選択スイッチ１９１が「ＯＦＦ」の位置では、電源部２０からデジタルカメラ１００への電源の供給が止まり、デジタルカメラ１００は、電源ＯＦＦ状態となる。モード選択スイッチ１９１が「ＲＥＣ」の位置、あるいは「ＰＬＡＹ」の位置になると、電源部２０からデジタルカメラ１００へ電源が供給され、デジタルカメラ１００は電源ＯＮ状態となる。「ＲＥＣ」の位置では、デジタルカメラ１００は撮影モードになり、撮影可能となる。撮影モード時は、表示部１８に撮像部１１の光学センサーを通した画像が表示される。また、「ＰＬＡＹ」の位置では、デジタルカメラ１００は再生モードになり、記録メディア内にある撮影画像を再生するモードになる。
【００２６】
１９２は、十字キーであり、上下左右方向にキーを押すことにより、メニュー項目の選択、再生画像の画像選択などに使用することができる。１９３は、決定キーであり、メニュー内で十字キー１９２で選択した項目を決定する時に使用する。１９４は、表示（ＤＩＳＰ）ボタンであり、表示部１８へ画像の表示・非表示を切り替える時に使用する。１９５は、メニューボタンであり、表示部１８にメニューを表示する時に使用する。
【００２７】
（第１の実施例）
以下、本発明の第１の実施例を、図１及び図２のブロック図、図３の背面パネルにおける模式図、図４及び図５のメニュー画面の模式図、図６〜図９のグラフ表示画面の模式図、並びに、図１０のフローチャートを使用して説明する。
【００２８】
図１０は、本発明の実施形態に係るデジタルカメラ（画像処理装置）１００の第１の実施例における制御方法を示すフローチャートである。
【００２９】
まず、ステップＳ１において、背面パネルに設けられたモード選択スイッチ１９１が「ＰＬＡＹ」の位置になると、制御・演算部１５は、デジタルカメラ１００を再生モードとする。
【００３０】
続いて、ステップＳ２において、メニューボタン１９５が押されると、制御・演算部１５は、これを受け付ける。続いて、ステップＳ３において、制御・演算部１５は、図４に示す再生メニュー画面を表示部１８に表示する。
【００３１】
図４の再生メニュー画面には、再生モードに関係するメニュー項目（４０１〜４０８）が並んで表示されており、これらのメニュー項目は十字キー１９２で選択可能となっている。十字キー１９２で選択されたメニュー項目は項目枠が太くなり、図４に示す例では「画像統計表示設定」４０３が選択されたことがわかる。
【００３２】
続いて、ステップＳ４において、図４の再生メニュー画面において、十字キー１９２で「画像統計表示設定」４０３が選択され決定キー１９３で決定がなされると、制御・演算部１５は、これを受け付ける。続いて、ステップＳ５において、制御・演算部１５は、図５に示す画像統計表示設定メニュー画面を表示部１８に表示する。
【００３３】
図５の画像統計表示設定メニュー画面には、本発明に係る画像情報を統計的にグラフ化する場合に必要な画像情報項目（５１１〜５１８）が並んでいる。表示画面の左側領域５１０に画像情報項目（５１１〜５１８）が並んでおり、十字キー１９２で選択可能となっている。十字キー１９２で画像情報項目が選択され決定キー１９３で決定されると、項目枠が太くなり、選択されたことがわかる。また、項目枠が太い選択状態の画像情報項目が選択され決定キー１９３で決定されると、選択状態が解除される。また、複数の画像情報項目を選択・決定することにより、複数の画像情報項目を並列に選択することが可能である。即ち、本実施形態に係るデジタルカメラ１００では、後述の統計処理を行う対象となる画像情報項目を複数設定可能に構成されている。
【００３４】
続いて、ステップＳ６において、図５の画像統計表示設定メニュー画面で「画像サイズ」５１１と「ピクチャースタイル」５１７が十字キー１９２と決定キー１９３を使って選択・決定されたので、制御・演算部１５は、これを受け付ける。
【００３５】
続いて、ステップＳ７において、制御・演算部１５は、記録媒体１３から画像ファイル（画像データ）をワークメモリ１７に読み込む。この際、画像データに関する画像情報も読み込まれることになる。
【００３６】
続いて、ステップＳ８において、制御・演算部１５は、ステップＳ７でワークメモリ１７に保存した画像データに関する画像情報から画像サイズとピクチャースタイルの情報を読み込み、これをワークメモリ１７の別領域に保存する。
【００３７】
続いて、ステップＳ９において、制御・演算部１５は、記録媒体１３に存在する全画像データの読み込み処理を終了したか否かを判断する。この判断の結果、未だ読み込み処理を行っていない画像データが記録媒体１３に存在する場合には、ステップＳ７に戻る。
【００３８】
一方、ステップＳ９の判断の結果、記録媒体１３に存在する全画像データの読み込み処理を終了した場合には、ステップＳ１０に進む。ステップＳ１０において、制御・演算部１５は、ワークメモリ１７の領域に保存した画像サイズの情報を統計処理し、棒グラフ化する。即ち、制御・演算部１５は、記録媒体１３に記憶されている画像データについて、画像情報の１つである画像サイズの情報に基づく統計処理を行う。
【００３９】
続いて、ステップＳ１１において、制御・演算部１５は、ワークメモリ１７上で棒グラフ化した内容を表示部１８に転送し、続いて、ステップＳ１２において、表示部１８に当該棒グラフを表示する。即ち、制御・演算部１５は、ステップＳ１０による統計処理の結果を表示部１８に表示する表示制御を行う。
【００４０】
図６は、ステップＳ１２で表示部１８に表示された画像サイズに関する棒グラフ表示画面の模式図である。また、図６に示す棒グラフ表示画面には、「項目切替」６１０、「グラフ切替」６２０、「検索」６３０、「戻る」６４０の各選択項目が設定されている。
【００４１】
続いて、ステップＳ１３において、図６の表示画面で「項目切替」６１０が十字キー１９２により選択され決定キー１９３で決定されると、制御・演算部１５は、これを受け付ける。
【００４２】
続いて、ステップＳ１４において、制御・演算部１５は、ワークメモリ１７の領域に保存したピクチャースタイルの情報を統計処理し、棒グラフ化する。即ち、制御・演算部１５は、記録媒体１３に記憶されている画像データについて、画像情報の１つであるピクチャースタイルの情報に基づく統計処理を行う。
【００４３】
続いて、ステップＳ１５において、制御・演算部１５は、ワークメモリ１７上で棒グラフ化した内容を表示部１８に転送し、続いて、ステップＳ１６において、表示部１８に当該棒グラフを表示する。即ち、制御・演算部１５は、ステップＳ１４による統計処理の結果を表示部１８に表示する表示制御を行う。
【００４４】
図７は、ステップＳ１６で表示部１８に表示されたピクチャースタイルに関する棒グラフ表示画面の模式図である。また、図７に示す棒グラフ表示画面には、「項目切替」７１０、「グラフ切替」７２０、「検索」７３０、「戻る」７４０の各選択項目が設定されている。
【００４５】
続いて、ステップＳ１７において、図７の表示画面で「グラフ切替」７２０が十字キー１９２により選択され決定キー１９３で決定されると、制御・演算部１５は、これを受け付ける。
【００４６】
続いて、ステップＳ１８において、制御・演算部１５は、ワークメモリ１７の領域に保存したピクチャースタイルの情報を統計処理し、円グラフ化する。
【００４７】
続いて、ステップＳ１９において、制御・演算部１５は、ワークメモリ１７上で円グラフ化した内容を表示部１８に転送し、続いて、ステップＳ２０において、表示部１８に当該円グラフを表示する。
【００４８】
図８は、ステップＳ２０で表示部１８に表示されたピクチャースタイルに関する円グラフ表示画面の模式図である。また、図８に示す円グラフ表示画面には、「項目切替」８１０、「グラフ切替」８２０、「検索」８３０、「戻る」８４０の各選択項目が設定されている。
【００４９】
続いて、ステップＳ２１において、図８の表示画面で「グラフ切替」８２０が十字キー１９２により選択され決定キー１９３で決定されると、制御・演算部１５は、これを受け付ける。
【００５０】
続いて、ステップＳ２２において、制御・演算部１５は、ワークメモリ１７の領域に保存したピクチャースタイルの情報を統計処理し、積上げグラフ化する。
【００５１】
続いて、ステップＳ２３において、制御・演算部１５は、ワークメモリ１７上で積上げグラフ化した内容を表示部１８に転送し、続いて、ステップＳ２４において、表示部１８に当該積上げグラフを表示する。
【００５２】
図９は、ステップＳ２４で表示部１８に表示されたピクチャースタイルに関する積上げグラフ表示画面の模式図である。また、図９に示す積上げグラフ表示画面には、「項目切替」９１０、「グラフ切替」９２０、「検索」９３０、「戻る」９４０の各選択項目が設定されている。
【００５３】
続いて、ステップＳ２５において、図９の表示画面で「戻る」９４０が十字キー１９２により選択され決定キー１９３で決定されると、制御・演算部１５は、これを受け付け、続いて、ステップＳ２６において、図５の画像統計表示設定メニュー画面を表示部１８に表示する。
【００５４】
以上のステップＳ１〜Ｓ２６までの処理を経ることにより、本発明の実施形態に係るデジタルカメラ（画像処理装置）１００の第１の実施例における制御方法が行われる。
【００５５】
（第２の実施例）
以下、本発明の第２の実施例を、図１及び図２のブロック図、図３の背面パネルにおける模式図、図４及び図５のメニュー画面の模式図、図６のグラフ表示画面の模式図、並びに、図１１及び図１２のフローチャートを使用して説明する。
【００５６】
図１１は、本発明の実施形態に係るデジタルカメラ（画像処理装置）１００の第２の実施例における制御方法において、表示タイミングの設定方法を示すフローチャートである。
【００５７】
まず、図１１に示すフローチャートでは、図１０に示すステップＳ１〜Ｓ５までの処理を経る。これにより、表示部１８には、図５に示す画像統計表示設定メニュー画面が表示される。
【００５８】
ここで、図５に示す画像統計表示設定メニュー画面において、表示画面の左側領域にグラフの表示タイミング設定項目（５２０〜５５０）が並んでおり、十字キー１９２で選択可能となっている。十字キー１９２で表示タイミング設定項目が選択され決定キー１９３で決定されると、項目枠が太くなり、選択されたことがわかる。また、項目枠が太い選択状態の表示タイミング設定項目が選択され決定キー１９３で決定されると、選択状態が解除される。また、複数の表示タイミング設定項目を選択・決定することにより、複数の表示タイミング設定項目を並列に選択することが可能である。
【００５９】
続いて、ステップＳ２７において、図５の画像統計表示設定メニュー画面で「起動」５２０、「メディア挿入」５３０、「再生モード」５４０、「ＤＩＳＰ釦」５５０が十字キー１９２と決定キー１９３を使って選択・決定されると、制御・演算部１５は、これを受け付ける。
【００６０】
続いて、ステップＳ２８において、図５の画像統計表示設定メニュー画面で「戻る」が十字キー１９２と決定キー１９３を使って選択・決定されると、制御・演算部１５は、これを受け付ける。続いて、ステップＳ２９において、制御・演算部１５は、図４に示す再生メニュー画面を表示部１８に表示する。
【００６１】
以上のステップＳ１〜Ｓ５、及びＳ２７〜Ｓ２９までの処理を経ることにより、統計処理の結果を表示部１８に表示するタイミングを任意に設定可能な第２の実施例における表示タイミングの設定が行われる。
【００６２】
図１２は、本発明の実施形態に係るデジタルカメラ（画像処理装置）１００の第２の実施例における制御方法において、図１１で設定した表示タイミングにしたがってグラフを表示する表示方法を示すフローチャートである。なお、この図１２に示すフローチャートにおいて、図１０に示す処理ステップと同様のものについては、同じステップ番号を付している。
【００６３】
まず、ステップＳ３１において、制御・演算部１５は、図２（図１）の記録媒体検知部１４、操作部１９、電源部２０を監視することにより、表示タイミングの設定イベントを検出したか否かを判断する。この判断の結果、表示タイミングの設定イベントを検出していない場合には、表示タイミングの設定イベントを検出するまで、ステップＳ３１に待機する。
【００６４】
一方、ステップＳ３１の判断の結果、表示タイミングの設定イベントを検出した場合には、ステップＳ７に進む。図１２に示すステップＳ７〜Ｓ１２までの処理は、図１０に示すステップＳ７〜Ｓ１２までの処理と同様であるため、その説明は省略する。このステップＳ７〜Ｓ１２までの処理を経ることにより、表示部１８には、図６に示す画像サイズに関する棒グラフ表示画面が表示される。なお、ステップＳ７〜Ｓ１２までの処理では、画像サイズの情報を棒グラフで表示する例を示しているが、表示情報である画像情報項目の設定によってその表示内容が変わるので、ここでは、他のグラフであってもよい。
【００６５】
続いて、ステップＳ３２において、図６の表示画面で「戻る」６４０が十字キー１９２により選択され決定キー１９３で決定されると、制御・演算部１５は、これを受け付ける。
【００６６】
続いて、ステップＳ３３において、制御・演算部１５は、ステップＳ３１で検出した設定イベントに応じた表示画面を表示部１８に表示する。ここで、例えば、検出した設定イベントが再生モードならば、画像再生画面を表示する。
【００６７】
以上のステップＳ３１〜Ｓ３３までの処理を経ることにより、第２の実施例における、図１１で設定した表示タイミングに応じたグラフ表示が行われる。
【００６８】
（第３の実施例）
以下、本発明の第３の実施例を、図１及び図２のブロック図、図３の背面パネルにおける模式図、図１３のグラフ表示画面の模式図、図１４の画像一覧表示画面の模式図、並びに、図１５のフローチャートを使用して説明する。
【００６９】
図１５は、本発明の実施形態に係るデジタルカメラ（画像処理装置）１００の第３の実施例における制御方法を示すフローチャートである。なお、この図１５に示すフローチャートにおいて、図１０に示す処理ステップと同様のものについては、同じステップ番号を付している。
【００７０】
まず、第３の実施例における制御方法では、図１０に示すステップＳ２４の処理を行う。この処理により、表示部１８には、図９に示すピクチャースタイルに関する積上げグラフ表示画面が表示される。
【００７１】
続いて、ステップＳ４１において、図１３に示す「風景」１３１０が十字キー１９２で選択され、さらに、「検索」９３０が十字キー１９２で選択されて決定キー１９３で決定されると、制御・演算部１５は、これを受け付ける。ここで、十字キー１９２により選択されると、図１３に示すように選択された項目枠が太くなり、選択されたことがわかる。
【００７２】
続いて、ステップＳ４２において、制御・演算部１５は、風景に該当する画像データを記録媒体１３から検索する。
【００７３】
続いて、ステップＳ４３において、制御・演算部１５は、ステップＳ４２における検索結果を画像一覧表示画面として表示部１８に表示する。図１４は、表示部１８に表示された画像一覧表示画面を示す模式図である。
【００７４】
続いて、ステップＳ４４において、図１４の画像一覧表示画面の左下に位置するリストボックス１４１０からダイレクトプリントが選択され、更に、ダイレクトプリントを行う表示画像が選択されて、「実行」キー１４２０が選択・決定されると、制御・演算部１５は、これを受け付ける。
【００７５】
ここで、リストボックス１４１０は、左向き矢印マーク１４１０ａ又は右向き矢印マーク１４１０ｂを十字キー１９２で選択し、決定キー１９３で決定することにより、リストボックス１４１０内に表示する項目を切り替えることができる。また、図１４に示す表示画像１４０１〜１４０８を十字キー１９２で選択し、決定キー１９３を用いて決定することにより、ダイレクトプリントする画像を選択できる。また、十字キー１９２でダイレクトプリントする画像を選択すると、表示枠が太くなり、選択されたことがわかる。図１４の例では、表示画像１４０２、１４０７及び１４０８が選択されたことを示している。
【００７６】
続いて、ステップＳ４５において、制御・演算部１５は、ステップＳ４４で選択された画像に対応する画像データを記録媒体１３から読み出し、ワークメモリ１７でプリンタに出力できる画像形式に変換して、プリンタ通信部２１から当該画像データを出力する。
【００７７】
以上のステップＳ２４〜Ｓ４５までの処理を経ることにより、本発明の実施形態に係るデジタルカメラ（画像処理装置）１００の第３の実施例における制御方法が行われる。即ち、図１５の処理では、「風景」に関する統計処理の結果に基づいて選択された、表示画像１４０２、１４０７及び１４０８の画像データに対して、予め定められたダイレクトプリント処理が実行される。
【００７８】
本発明の実施形態に係るデジタルカメラ１００によれば、記録媒体１３（記憶手段）内に記憶されている画像データの全体傾向を視覚的に容易に把握することが可能となる。
【００７９】
（本発明における他の実施形態）
以上、本発明の実施形態に係るデジタルカメラ（画像処理装置）１００について説明を行ってきたが、撮像部１１を具備しない電子アルバム装置についても、本発明を適用することが可能である。
【００８０】
また、前述した本発明の実施形態に係るデジタルカメラ１００を構成する図１及び図２の各手段、並びにデジタルカメラ１００の制御方法を示した図１０〜図１２及び図１５の各ステップは、例えば、プログラムメモリ１６などに記憶されたプログラムが動作することによって実現できる。このプログラム及び当該プログラムを記録したコンピュータ読み取り可能な記憶媒体（プログラムメモリ１６）は、本発明に含まれる。
【００８１】
具体的に、前記プログラムは、例えばＣＤ−ＲＯＭのような記憶媒体に記録し、或いは各種伝送媒体を介し、コンピュータに提供される。前記プログラムを記録する記憶媒体としては、ＣＤ−ＲＯＭ以外に、フレキシブルディスク、ハードディスク、磁気テープ、光磁気ディスク、不揮発性メモリカード等を用いることができる。他方、前記プログラムの伝送媒体としては、プログラム情報を搬送波として伝搬させて供給するためのコンピュータネットワーク（ＬＡＮ、インターネットの等のＷＡＮ、無線通信ネットワーク等）システムにおける通信媒体を用いることができる。また、この際の通信媒体としては、光ファイバ等の有線回線や無線回線などが挙げられる。
【００８２】
また、コンピュータが供給されたプログラムを実行することにより本発明の実施形態に係るデジタルカメラ１００の機能が実現されるだけでなく、そのプログラムがコンピュータにおいて稼働しているＯＳ（オペレーティングシステム）或いは他のアプリケーションソフト等と共同して本発明の実施形態に係るデジタルカメラ１００の機能が実現される場合や、供給されたプログラムの処理の全て、或いは一部がコンピュータの機能拡張ボードや機能拡張ユニットにより行なわれて本発明の実施形態に係るデジタルカメラ１００の機能が実現される場合も、かかるプログラムは本発明に含まれる。
【図面の簡単な説明】
【００８３】
【図１】本発明の実施形態に係るデジタルカメラ（画像処理装置）の機能構成を示すブロック図である。
【図２】図１に示すデジタルカメラ（画像処理装置）の機能構成のうち、特に、本発明に係る主要な動作で使用される機能構成を示すブロック図である。
【図３】本発明の実施形態に係るデジタルカメラ（画像処理装置）の背面パネルから見た操作部と表示部を示した模式図である。
【図４】表示部に表示された再生メニュー画面を示す模式図である。
【図５】表示部に表示された画像統計表示設定メニュー画面を示す模式図である。
【図６】ステップＳ１２で表示部に表示された画像サイズに関する棒グラフ表示画面の模式図である。
【図７】ステップＳ１６で表示部に表示されたピクチャースタイルに関する棒グラフ表示画面の模式図である。
【図８】ステップＳ２０で表示部に表示されたピクチャースタイルに関する円グラフ表示画面の模式図である。
【図９】ステップＳ２４で表示部に表示されたピクチャースタイルに関する積上げグラフ表示画面の模式図である。
【図１０】本発明の実施形態に係るデジタルカメラ（画像処理装置）の第１の実施例における制御方法を示すフローチャートである。
【図１１】本発明の実施形態に係るデジタルカメラ（画像処理装置）の第２の実施例における制御方法において、表示タイミングの設定方法を示すフローチャートである。
【図１２】本発明の実施形態に係るデジタルカメラ（画像処理装置）の第２の実施例における制御方法において、図１１で設定した表示タイミングにしたがってグラフを表示する表示方法を示すフローチャートである。
【図１３】ステップＳ２４で表示部に表示されたピクチャースタイルに関する積上げグラフ表示画面の模式図である。
【図１４】表示部に表示された画像一覧表示画面を示す模式図である。
【図１５】本発明の実施形態に係るデジタルカメラ（画像処理装置）の第３の実施例における制御方法を示すフローチャートである。
【符号の説明】
【００８４】
１１  撮像部
１２  画像処理部
１３  記録媒体
１４  記録媒体検知部
１５  制御・演算部
１６  プログラムメモリ
１７  ワークメモリ
１８  表示部
１９  操作部
２０  電源部
２１  プリンタ通信部
２２  無線通信部
２３  無線アンテナ
２４  システムバス
【図１】
2008187233.tif 000003
【図２】
2008187233.tif 000004
【図３】
2008187233.tif 000005
【図４】
2008187233.tif 000006
【図５】
2008187233.tif 000007
【図６】
2008187233.tif 000008
【図７】
2008187233.tif 000009
【図８】
2008187233.tif 000010
【図９】
2008187233.tif 000011
【図１０】
2008187233.tif 000012
【図１１】
2008187233.tif 000013
【図１２】
2008187233.tif 000014
【図１３】
2008187233.tif 000015
【図１４】
2008187233.tif 000016
【図１５】
2008187233.tif 000017